(57)【要約】【課題】建物に充分な制振効果を及ぼすことができ、しかも、製作が容易で、納期短縮とコストダウンを実現でき、また、建物への設置も容易な、チューンドマスダンパーを用いた制振装置を提供する。【解決手段】マス３と復元力要素としての板バネ４とを含み、建物１３の振動と同じ周期で該建物１３の振動を打ち消す方向に振動するように設計された単位チューンドマスダンパー２が、複数単位、建物１３に設置され、これら単位チューンドマスダンパー２…のマスの合計重量により建物を制振するようになされている。各単位チューンドマスダンパー２は、上下方向に薄型で積み上げ用の脚部８…を一体的に備えたものからなり、これら単位チューンドマスダンパー２…が脚部８…をスペーサーとして上下方向に複数段積み上げられて設置されている。【選択図】      図１
2007040034.tif 000002
【特許請求の範囲】
【請求項１】
マスと復元力要素とを含み、建物の振動と同じ周期で該建物の振動を打ち消す方向に振動するように設計された単位チューンドマスダンパーが、複数単位、マスの振動方向を同じくして建物に設置され、これら単位チューンドマスダンパーのマスの合計重量により建物を制振するようになされていることを特徴とするチューンドマスダンパーを用いた制振装置。
【請求項２】
前記各単位チューンドマスダンパーは、マス重量が互いに同じであって復元力要素も互いに同じの同一規格品からなる請求項１に記載のチューンドマスダンパーを用いた制振装置。
【請求項３】
前記各単位チューンドマスダンパーが、上下方向に薄型で、積み上げ用の脚部を一体的に備えたものからなっていて、
これら単位チューンドマスダンパーが脚部をスペーサーとして上下方向に複数段積み上げられて設置されている請求項１又は２に記載のチューンドマスダンパーを用いた制振装置。
【請求項４】
マスと復元力要素とを含むチューンドマスダンパーが複数備えられ、各チューンドマスダンパーはそれぞれ、上下方向に薄型で、積み上げ用の脚部を一体的に備えたものからなっていて、
これらチューンドマスダンパーが脚部をスペーサーとして上下方向に複数段積み上げられて設置されていることを特徴とするチューンドマスダンパーを用いた制振装置。
【発明の詳細な説明】
【技術分野】
【０００１】
本発明は、チューンドマスダンパーを用いた制振装置に関する。
【背景技術】
【０００２】
チューンドマスダンパーは、マスと復元力要素とを含み、マスの重量は、建物の重量に基づいて決められ、それに基づいて復元力要素の設計も行われるが、例えば中低層のペンシルビルなどでは、それらに基づいて製作されるチューンドマスダンパーが、建物ごとに異なる大型の特注品となってしまい、そのため、製作が大掛かりなものになり、納期が長くかかり、コストも高くつき、建物への設置も容易ではないという問題がある。
【発明の開示】
【発明が解決しようとする課題】
【０００３】
本発明は、上記のような問題点に鑑み、建物に充分な制振効果を及ぼすことができ、しかも、製作が容易で、納期短縮とコストダウンを実現することができ、また、建物への設置も容易にすることができる、チューンドマスダンパーを用いた制振装置を提供することを課題とする。
【課題を解決するための手段】
【０００４】
上記の課題は、マスと復元力要素とを含み、建物の振動と同じ周期で該建物の振動を打ち消す方向に振動するように設計された単位チューンドマスダンパーが、複数単位、マスの振動方向を同じくして建物に設置され、これら単位チューンドマスダンパーのマスの合計重量により建物を制振するようになされていることを特徴とするチューンドマスダンパーを用いた制振装置によって解決される（第１発明）。
【０００５】
この装置では、複数備えられた各単位チューンドマスダンパーのマスの合計重量により、建物の制振に必要なマス重量を確保するようにしたものであり、建物に充分な制振効果を及ぼすことができ、それでいて、各単位チューンドマスダンパーを小型化できて、各単位チューンドマスダンパーの製作を容易にすることができると共に、建物への設置も容易にすることができる。
【０００６】
第１発明の装置において、各単位チューンドマスダンパーが、マス重量が互いに同じであって復元力要素も互いに同じの同一規格品からなるとよい（第２発明）。この場合は、各単位チューンドマスダンパーの製作を容易にすることができて量産可能となり、装置の納期の短縮とコストダウンを実現することができる。
【０００７】
また、第１発明又は第２発明の装置において、各単位チューンドマスダンパーが、上下方向に薄型で、積み上げ用の脚部を一体的に備えたものからなっていて、
これら単位チューンドマスダンパーが脚部をスペーサーとして上下方向に複数段積み上げられて設置されているとよい（第３発明）。
【０００８】
この装置では、上下方向に薄型の単位チューンドマスダンパーを上下方向に複数積み上げて構成されているので、各単位チューンドマスダンパーを設置するための平面スペースも、また上下方向の設置スペースも小さくすることができる。
【０００９】
のみならず、各単位チューンドマスダンパーには積み上げ用の脚部が一体的に備えられ、各単位チューンドマスダンパーが脚部をスペーサーとして上下方向に複数段積み上げられているので、建物への各単位チューンドマスダンパーの設置作業を吊上げ機等を用いて容易にかつ能率良く行っていくことができ、積み上げ状態での固定の作業も容易で、しかも、上下方向の設置スペースをコスト的に有利に小さく抑えることができる。
【００１０】
即ち、棚が上下方向に複数段備えられた設置用ラックを使用し、該ラックの棚間に単位チューンドマスダンパーを設置していくような場合には、単位チューンドマスダンパーを側方から水平移動させて棚間に設置していく必要があって設置作業が厄介であるのみならず、棚間に設置した単位チューンドマスダンパーの固定も棚間へのアクセスが必要でそれも非常に厄介であり、また、空き棚を生じさせないように、使用する単位チューンドマスダンパーの数に応じた棚数のラックを用意する必要があって、上下方向の設置スペースを小さく抑えるのに要するコストが高くつくのに対して、そのような問題をすべて解決することができる。
【００１１】
また、本発明は、マスと復元力要素とを含むチューンドマスダンパーが複数備えられ、各チューンドマスダンパーはそれぞれ、上下方向に薄型で、積み上げ用の脚部を一体的に備えたものからなっていて、
これらチューンドマスダンパーが脚部をスペーサーとして上下方向に複数段積み上げられて設置されていることを特徴とするチューンドマスダンパーを用いた制振装置を含む（第４発明）。
【００１２】
本制振装置では、第３発明の装置と同様に、各単位チューンドマスダンパーを設置するための平面スペースも上下方向の設置スペースも小さくでき、建物への各チューンドマスダンパーの設置作業を吊上げ機等を用いて容易にかつ能率良く行っていくことができ、積み上げ状態での固定の作業も容易で、上下方向の設置スペースをコスト的に有利に小さく抑えることができる。そして、本第４発明の制振装置では、装置に備えられる各チューンドマスダンパーがそれ単独で、あるいは、各チューンドマスダンパーの協働により、建物にどのような制振作用を及ぼすかについては、様々に定められていてよい。
【発明の効果】
【００１３】
本発明は、以上のとおりのものであるから、建物に充分な制振効果を及ぼすことができ、しかも、製作が容易で、納期短縮とコストダウンを実現することができ、また、建物への設置も容易にすることができる。
【発明を実施するための最良の形態】
【００１４】
次に、本発明の実施最良形態を図面に基づいて説明する。
【００１５】
図１に示す実施形態の制振装置１において、２が単位チューンドマスダンパーであり、制振装置１は、複数、図面では５つの単位チューンドマスダンパー２…によって構成されている。
【００１６】
本実施形態では、各単位チューンドマスダンパー２は、図２に示すように、マス３と、復元力要素としての板バネ４とを含み、基枠５，５の上に吊り枠６，６が載せられ、該吊り枠６，６に、板厚方向に弾性変形をする板バネ４…が取り付けられ、扁平マス３，３が該板バネ４…に吊り状態に連結されて基枠５，５間に配設された、上下方向に薄型のチューンドマスダンパーからなっていて、また、各単位チューンドマスダンパー２は、マス重量が互いに同じであって復元力要素も互いに同じの同一規格品からなっている。
【００１７】
そして、装置１を構成する各単位チューンドマスダンパー２…は、マス３，３の重量と、板バネ４…が、建物の振動と同じ周期で該建物の振動を打ち消す方向に振動するように設計されており、各単位チューンドマスダンパー２単独のマス３，３は、建物に対して有効的な制振力を及ぼすには不足の軽量なものからなっていて、すべての単位チューンドマスダンパー２…のマス３の合計重量によってはじめて建物１３に有効的な制振力が及ぼされるように構成されている。
【００１８】
なお、１４は、周波数範囲を広くして制振性能を高めるための子マスであり、本発明においては任意の構成要素である。また、図示しないが、減衰手段も備えられている。
【００１９】
そして、各単位チューンドマスダンパー２…には、図３に示すように、その基枠５，５の下部に方形環状に形成された台枠７が取り付けられると共に、該台枠７に、上端が単位チューンドマスダンパー２の上面高さ位置より上方に突出する３本以上、好ましくは４本以上、図示するものでは６本の脚部８…が立設され、台枠７と脚部８…とが単位チューンドマスダンパー２に一体化されて備えられている。
【００２０】
そして、図４に示すように、単位チューンドマスダンパー２は、脚部８…をスペーサーとし、マス３の振動方向を同じくして、台枠７の下面側を、下に位置する単位チューンドマスダンパーの脚部８…の上端部で支えさせるようにして積み上げていくことができるようになされており、台枠７を、下に位置する単位チューンドマスダンパー２の脚部８…の上端部にボルト９とナット１０で連結一体化することにより、単位チューンドマスダンパー２…を互いに一体化させた多段積み上げ状態にすることができるようになされている。
【００２１】
積み上げは、図４に示すように、単位チューンドマスダンパー２の脚部８…の上端部にアイボルト１１…を付けることができるようになっていて、吊揚げ機で吊り、下に位置する設置済みの単位チューンドマスダンパー２…の上方に位置させ、そこから降ろしていくというようにして行うことができるようになっている。１２は支持台である。
【００２２】
上記の制振装置１では、複数備えられた各単位チューンドマスダンパー２…のマス３…の合計重量により、建物１３の制振に必要なマス重量を確保するようにしたものであるから、各単位チューンドマスダンパー２…を小型化でき、各単位チューンドマスダンパー２…の製作や建物への設置を大掛かりでなく容易にすることができる。
【００２３】
しかも、各単位チューンドマスダンパー２…は、同一規格品からなっているので、各単位チューンドマスダンパー２の製作を容易にすることができて量産可能となり、装置１の納期の短縮とコストダウンを実現することができる。
【００２４】
また、上記の装置１は、上下方向に薄型の単位チューンドマスダンパー２…を、各単位チューンドマスダンパー２…に備えられている脚部８をスペーサーとして上下方向に複数積み上げた構成にされているので、各単位チューンドマスダンパー２…を設置するための平面スペースも、また上下方向の設置スペースも小さくすることができる。
【００２５】
更に、建物１３への各単位チューンドマスダンパー２…の積み上げ作業も、図４に示すように、単位チューンドマスダンパー２の脚部８…の上端部にアイボルト１１…を取り付け、吊揚げ機で吊って、下に位置する設置済みの単位チューンドマスダンパー２…の上方に位置させ、そこから降ろしていき、ボルト９とナット１０で固定するというようにして行っていくことができて、単位チューンドマスダンパー２…の設置作業も、単位チューンドマスダンパー２同士の固定の作業も容易に行っていくことができる。
【００２６】
以上に、本発明の実施形態を示したが、本発明はこれに限られるものではなく、発明思想を逸脱しない範囲で各種の変更が可能である。例えば、上記の実施形態では、チューンドマスダンパーとして、板バネ４を復元要素とした場合を示したが、振り子式や積層ゴム等の各種の復元力要素を採用するチューンドマスダンパーであってもよい。また、一つの単位チューンドマスダンパーに備えられるマスの数や具体的形態に制限はない。
【図面の簡単な説明】
【００２７】
【図１】実施形態の制振装置を示す側面図である。
【図２】単位チューンドマスダンパーを示すもので、図（イ）は平面図、図（ロ）は図（イ）はＩ−Ｉ線矢視側面図、図（ハ）は図（イ）のＩＩ−ＩＩ線矢視断面図である。
【図３】脚部が備えられた単位チューンドマスダンパーを示すもので、図（イ）は平面図、図（ロ）は側面図である。
【図４】単位チューンドマスダンパーの設置方法を示す側面図である。
【符号の説明】
【００２８】
１…制振装置
２…単位チューンドマスダンパー
３…マス
４…板バネ（復元力要素）
８…脚部
【図１】
2007040034.tif 000003
【図２】
2007040034.tif 000004
【図３】
2007040034.tif 000005
【図４】
2007040034.tif 000006